(57)【要約】【課題】確実に滑り止め効果を有し、滑り止め効果が長期間持続するノンスリップ歩板を提供する。【解決手段】所定形状に形成された本体１２と、本体１２の上面に形成された凹部１４と、凹部１４内に設けられて硬化した合成樹脂層１６を有する。合成樹脂層１６に混合され合成樹脂層１６の表面に凹凸を形成する粒状物である砂１８を備える。砂１８は、１〜５ｍｍのふるいにかけた後、焼かれて植物の種子や雑菌を除去したものである。【選択図】図１
0003156494.tif 000002
【実用新案登録請求の範囲】
【請求項１】
所定形状に形成された本体と、前記本体の上面に形成された凹部と、前記凹部に設けられて硬化した合成樹脂層と、前記合成樹脂層に混合され前記合成樹脂層の表面に凹凸を形成する粒状物が設けられていることを特徴とするノンスリップ歩板。
【請求項２】
前記粒状物は砂であり、前記砂は、１〜５ｍｍのふるいにかけた後、焼かれて植物の種子や雑菌を除去したものである請求項１記載のノンスリップ歩板。
【請求項３】
前記本体は木製であり、板体または丸太である請求項１または２記載のノンスリップ歩板。
【考案の詳細な説明】
【技術分野】
【０００１】
この考案は、地面に設置して歩行を容易にするノンスリップ歩板に関する。
【背景技術】
【０００２】
従来、遊歩道や登山道、作業現場等で、地面に敷いて歩行を安全且つ容易にする歩板がある。歩板には、歩行者の靴の裏が滑らないように工夫されたものがある。特許文献１に開示されているノンスリップ歩板は、所要大きさの木板あるいは金属板よりなる歩板の表面に、硬度の高い粗粒子をエポキシ樹脂等の合成樹脂塗料を塗着して固定し、歩板表面に素粒子による凹凸が形成されている。このノンスリップ歩板によれば、粗粒子によって形成された凹凸により、歩行者の靴の裏が滑らずに確実に保持するため、容易に歩行することができる。また、特許文献２に開示されているフタ工板は、金属板の表面に、砂や硅砂等の耐摩耗性に優れた粒状物を全体にわたりほぼ均一に混入した合成樹脂層が設けられている。このフタ工板によっても特許文献１と同様の効果がある。
【先行技術文献】
【特許文献】
【０００３】
【特許文献１】実開昭５１−１５１４３７号公報
【特許文献２】実開昭５１−８４２３１号公報
【考案の概要】
【考案が解決しようとする課題】
【０００４】
上記背景技術の場合、合成樹脂層が薄いため、長期間使用すると摩擦で粒子層が剥がれて歩板の本体が露出し、凹凸がなくなり、滑り止めの効果が低下しやすいものであった。
【０００５】
この考案は、上記背景技術の問題点に鑑みてなされたものであり、確実に滑り止め効果を有し、滑り止め効果が長期間持続するノンスリップ歩板を提供することを目的とする。
【課題を解決するための手段】
【０００６】
本考案は、所定形状に形成された本体と、前記本体の上面に形成された凹部と、前記凹部内に設けられて硬化した合成樹脂層と、前記合成樹脂層に混合され前記合成樹脂層の表面に凹凸を形成する粒状物が設けられているノンスリップ歩板である。
【０００７】
前記粒状物は砂であり、前記砂は、１〜５ｍｍ、好ましくは２ｍｍのふるいにかけた後、焼かれて植物の種子や雑菌を除去したものである。また、前記本体は木製の板体または丸太である。
【考案の効果】
【０００８】
本考案のノンスリップ歩板は、確実な滑り止め効果を有し、滑り止め効果が長時間持続するものである。そして、遊歩道や登山道、作業現場等に設置することにより、歩行者の靴の裏が滑ることなく確実に接地位置で保持して、歩行を容易で安全なものにすることができる。
【図面の簡単な説明】
【０００９】
【図１】この考案の第一実施形態のノンスリップ歩板の使用状態を示す平面図である。
【図２】この考案の第一実施形態のノンスリップ歩板の使用状態を示す縦断面図である。
【図３】この考案の第一実施形態のノンスリップ歩板の使用状態を示す正面図である。
【図４】この考案の第二実施形態のノンスリップ歩板の平面図（ａ）と左側面図（ｂ）である。
【図５】この考案の第二実施形態のノンスリップ歩板の使用状態を示す正面図である。
【図６】この考案の第二実施形態のノンスリップ歩板の使用状態を示す左側面図である。
【図７】この考案の第三実施形態のノンスリップ歩板の平面図である。
【図８】この考案の第三実施形態のノンスリップ歩板の縦断面図である。
【図９】この考案の第三実施形態のノンスリップ歩板の使用状態を示す概略断面図である。
【考案を実施するための形態】
【００１０】
以下、この考案の実施形態について図面に基づいて説明する。図１〜図３はこの考案の第一実施形態を示すもので、この実施形態のノンスリップ歩板１０は木製の板体である本体１２が設けられ、本体１２は一方向に長い矩形にカットされている。本体１２の上面１２aには、凹部１４が形成されている。凹部１４は、上面１２aの長手方向に対して直角に、複数個の帯状に形成され、互いに等間隔で平行に位置している。
【００１１】
各凹部１４には、合成樹脂層１６が設けられて硬化されている。合成樹脂層１６はエポキシ樹脂等で作られている。合成樹脂層１６には、合成樹脂層１６の表面に凹凸を形成する粒状物である砂１８が混合されている。砂１８は、１〜５ｍｍ、好ましくは２ｍｍのふるいにかけた後、焼かれて植物の種子や雑菌を除去したものである。
【００１２】
次に、ノンスリップ歩板１０の施工方法について説明する。整地した地面２０に、ノンスリップ歩板１０を載せる受木２２を置く。受木２２は、ノンスリップ歩板１０の幅の２倍より少し長くカットされている丸太である。受木２２は、１枚のノンスリップ歩板１０の長手方向の２か所に設置され、設置する方向は、ノンスリップ歩板１０の長手方向にほぼ直角である。そして一対の受木２２の上にノンスリップ歩板１０を２枚平行に並べてわたす。２枚のノンスリップ歩板１０は、あらかじめボルト２３で連結されている。このとき、一対のノンスリップ歩板１０の凹部１４は、長手方向に沿って所定長さずれて位置しており、合成樹脂層１６が互い違いに位置している。
【００１３】
そして、ノンスリップ歩板１０の本体１２の上面１２aから、釘２４を受木２２に打ち、ノンスリップ歩板１０を固定する。次にノンスリップ歩板１０の本体１２の長手方向の側縁部１２ｂの左右の外側であって、受木２２の近傍に、杭木２６を地面２０にそれぞれ打ち込み、受木２２と杭木２６を、かすがい２８で固定する。これにより、ノンスリップ歩板１０と受木２２が、地面２０に固定される。なお、ノンスリップ歩板１０の施工方法の順番は、上記以外でもよく適宜変更可能である。
【００１４】
この実施形態のノンスリップ歩板１０によれば、本体１２の上面１２aに、凹凸が形成された合成樹脂層１６が設けられているため、確実に滑り止め効果を有するものである。歩行者の靴の裏が滑ることなく確実に保持され、歩行を容易で安全なものにすることができる。合成樹脂層１６は、上面１２aからくぼんだ凹部１４に、一定の深さに充填されているため、長期の使用で合成樹脂層１６表面が減りにくく、長期間効果が持続するものである。合成樹脂層１６に混合されている砂１８は、焼かれて植物の種子や雑菌を除去したものであり、国定公園等の遊歩道や登山道に使用しても、環境に与える影響がなく、安全である。
【００１５】
次に、この考案の第二実施形態について図４に基づいて説明する。なお、ここで上記実施形態と同様の部材は同様の符号を付して説明を省略する。この実施形態のノンスリップ歩板３０は木製の板体である本体３２が設けられ、本体３２は一方向に長い矩形にカットされている。本体３２の上面３２aには、凹部３４が形成されている。凹部３４は、上面３２aの長手方向に対して平行な１個の帯状に形成されている。
【００１６】
凹部３４には、合成樹脂層３６が入れられて硬化されている。合成樹脂層３６には、合成樹脂層３６の表面に凹凸を形成する砂３８が混合されている。砂３８は、１〜５ｍｍ、好ましくは２ｍｍのふるいにかけた後、焼かれて植物の種子や雑菌を除去したものである。
【００１７】
次に、ノンスリップ歩板３０の施工方法について図５、図６に基づいて説明する。まず、ステンレス等辺山形鋼等で枠４０を組み立てる。枠４０は、長い２本の縦部材４０ａが互いに平行に設けられ、一対の縦部材４０ａの間に１２本の横部材４０ｂが等間隔にはしご状に取り付けられている。縦部材４０ａには、一方向へ突出する杭４０ｃが、縦部材４０ａの長手方向に対して直角に取り付けられている。杭４０ｃは、各縦部材４０ａに６個ずつほぼ等間隔に設けられている。枠４０の各部材は、溶接により連結されている。そして、枠４０の縦部材４０ａに沿って一対の長い丸太４２を載せ、横部材４０ｂに対向する位置に横部材４０ｂに沿って短い丸太４４を載せ、丸太４４，４２をボルト４６で枠４０に固定する。一対の丸太４２の互いに対面する内側には、丸太４４の近傍に、丸太４４より短い一対の丸太４８をボルト４９で取り付ける。そして、丸太４２に固定した丸太４４，４８の上に、ノンスリップ歩板３０を載せて図示しないボルト等で固定する。ノンスリップ歩板３０の取り付けはこれを繰り返し、丸太４２の長手方向に等間隔にノンスリップ歩板３０を取り付ける。これによりノンスリップ歩板３０は、丸太４２に対して丸太４２が水平面に対して傾斜した角度だけ傾斜して取り付けられる。
【００１８】
このように組み立てた枠４０、丸太４２，４４，４８、ノンスリップ歩板３０を、整地された傾斜する地面２０に取り付ける。傾斜した地面２０に、枠４０を梯子のように縦部材４０ａが傾斜方向に沿うように設置し、杭４０ｃを地面２０に打ち込んで固定する。このときノンスリップ歩板３０は、本体１２の上面１２aが水平に位置し上方に向くようにする。なお、ノンスリップ歩板３０の施工方法の順番は、上記以外でもよく、適宜変更可能である。
【００１９】
この実施形態のノンスリップ歩板３０によれば、上記実施形態と同様の効果を有することができる。枠４０にあらかじめ所定角度と所定間隔で固定されているため、傾斜した地面２０に簡単に階段を設けることができる。
【００２０】
なお、この実施形態の枠４０は上記実施形態以外の形状でもよく、ノンスリップ歩板３０の数や間隔も、自由に変更可能である。
【００２１】
次に、この考案の第三実施形態について図７、図８に基づいて説明する。なお、ここで上記実施形態と同様の部材は同様の符号を付して説明を省略する。この実施形態のノンスリップ歩板５０は、所定の長さにカットされた丸太である本体５２が設けられ、本体５２の側面には、板目方向にカットして形成された上面５２ａと底面５２ｂが、長手方向に沿う帯状に形成されている。上面５２ａには、凹部５４が形成されている。凹部５４は、上面５２aの中央に、長手方向に対して平行に形成された１個の帯状である。
【００２２】
凹部５４には、合成樹脂層５６が入れられて硬化されている。合成樹脂層５６には、合成樹脂層５６の表面に凹凸を形成する砂５８が混合されている。砂５８は、１〜５ｍｍ、２ｍｍのふるいにかけた後、焼かれて植物の種子や雑菌を除去したものである。
【００２３】
次に、ノンスリップ歩板５０の施工方法について図９に基づいて説明する。傾斜した地面２０の所定位置に水平な床を有するくぼみを作り、くぼみの床に杭６０を打ち、杭６０の傾斜面の上方側に、ノンスリップ歩板５０をほぼ水平に設置する。このとき、ノンスリップ歩板５０の本体５２上面５２ａを上方に向ける。そして、地面２０の土をノンスリップ歩板５０の周囲に埋め戻して固定する。これを地面２０の傾斜に沿って所定間隔で設け、階段状にノンスリップ歩板５０を設置する。
【００２４】
この実施形態のノンスリップ歩板５０によれば、上記実施形態と同様の効果を有することができる。本体５２が丸太でも、確実に滑り止めの効果を持続させることができる。そして傾斜がある地面２０に、簡単に段差を作り、階段とすることができる。
【００２５】
なお、この考案のノンスリップ歩板は、上記各実施形態に限定されるものではなく、本体の形状や凹部の形状は、適宜変更可能である。合成樹脂層の素材は、エポキシ樹脂以外に、確実に硬化して本体から剥がれないものであればよい。粒状物は、砂以外にくるみの殻や貝殻などを砕いたもの等でもよい。
【符号の説明】
【００２６】
１０  ノンスリップ歩板
１２  本体
１４  凹部
１６  合成樹脂層
１８  砂
【図１】
0003156494.tif 000003
【図２】
0003156494.tif 000004
【図３】
0003156494.tif 000005
【図４】
0003156494.tif 000006
【図５】
0003156494.tif 000007
【図６】
0003156494.tif 000008
【図７】
0003156494.tif 000009
【図８】
0003156494.tif 000010
【図９】
0003156494.tif 000011